(57)【要約】【課題】緊急警報放送が開始されたことを短時間に検出可能にする。【解決手段】  受信されたデジタル放送を復調して復調出力を出力する復調部１６と、前記デジタル放送に多重されている緊急警報放送フレームに含まれる同期信号、起動制御信号及び緊急警報放送データのうち前記同期信号及び起動制御信号を前記復調出力から検出する検出部１８と、前記検出部が緊急警報放送が行われていることを示す起動制御信号を検出したことを示す起動フラグを保持する起動フラグ記憶部２１とを具備したことを特徴とする。【選択図】図１
2010268226.tif 000002
【特許請求の範囲】
【請求項１】
受信されたデジタル放送を復調して復調出力を出力する復調部と、
前記デジタル放送に多重されている緊急警報放送フレームに含まれる同期信号、起動制御信号及び緊急警報放送データのうち前記同期信号及び起動制御信号を前記復調出力から検出する検出部と、
前記検出部が緊急警報放送が行われていることを示す起動制御信号を検出したことを示す起動フラグを保持する起動フラグ記憶部と
を具備したことを特徴とする放送受信装置。
【請求項２】
前記デジタル放送に多重されている前記緊急警報放送フレームを取得して誤り訂正処理を行う誤り訂正部と、
前記誤り訂正部の誤り訂正処理後の前記緊急警報放送データを記憶するデータ記憶部と、
前記誤り訂正部の誤り訂正処理による誤りの有無を示すエラーフラグを保持するエラーフラグ記憶部と
を具備したことを特徴とする請求項１に記載の放送受信装置。
【請求項３】
前記誤り訂正部からの前記誤り訂正処理後の緊急警報放送データと前記データ記憶部に記憶されている緊急警報放送データとの比較によって前記誤り訂正部からの前記緊急警報放送データが更新されたか否かを検出する一致検出部と、
前記一致検出部が前記誤り訂正部からの前記緊急警報放送データの更新を検出したか否かを示す更新フラグを保持する更新フラグ記憶部と
を具備したことを特徴とする請求項２に記載の放送受信装置。
【請求項４】
前記復調部からの復調出力を復号してトランスポートストリームを出力する復号部と、
前記検出部が緊急警報放送が行われていることを示す起動制御信号を検出した場合には、前記復号部からのトランスポートストリームに前記データ記憶部が記憶した前記緊急警報放送データを多重して出力する多重回路と
を具備したことを特徴とする請求項２又は３に記載の放送受信装置。
【請求項５】
前記起動フラグ記憶部にアクセス可能で、前記起動フラグによって前記緊急警報放送が行われていることが示された場合には、前記緊急警報放送を提示するための機器を自動的に動作状態にする制御部
を具備したことを特徴とする請求項１に記載の放送受信装置。
【発明の詳細な説明】
【技術分野】
【０００１】
本発明は、緊急警報放送を受信可能な放送受信装置に関する。
【背景技術】
【０００２】
従来より、デジタルテレビジョン放送が開始され実現されている。日本におけるデジタルテレビジョン放送では、ＩＳＤＢ−Ｔ方式が採用されている。ＩＳＤＢ−Ｔ方式においては、ＭＰＥＧ（Moving Picture Expert Group）２規格で規定されたＴＳ（トランスポートストリーム）に、誤り訂正符号化、インターリーブ符号化、デジタル変調等の信号処理が施された放送信号がＯＦＤＭ（Orthogonal Frequency Division Multiplexing）変調されて送信されるようになっている。
【０００３】
ＯＦＤＭ（Orthogonal Frequency Division Multiplexing）方式は、広域信号を互いに直交する多数の搬送波で伝送することにより、地上波テレビジョン放送において必須の伝送条件であるマルチパス伝播路における遅延干渉特性を改善できる利点を有している。
【０００４】
ＩＳＤＢ−Ｔ方式では、周波数領域ではキャリア本数１０８個のＯＦＤＭシンボルを１ブロックとし、モードに応じて１，２，４個のブロックで１セグメントを構成する。即ち、１セグメントのキャリア本数は、１０８、２１６又は４３２本である。ＩＳＤＢ−Ｔ方式では、１３セグメント分の帯域で伝送を行う。また、ＩＳＤＢ−Ｔ方式では、時間領域では、２０４個のＯＦＤＭシンボルで１フレームを構成する。そして、フレーム単位で、ＴＳの伝送やエネルギ拡散処理が行われる。また、ＩＳＤＢ−Ｔ方式では、伝送特性が異なる複数の階層を同時に伝送する階層伝送が可能である。各階層は、１つ又は複数のＯＦＤＭセグメントにより構成され、階層毎にキャリア変調方式、内符号の符号化率、時間インターリーブ長等のパラメータを指定することが可能である。
【０００５】
このような階層に関する情報やフレーム同期信号は、伝送制御信号（ＴＭＣＣ：Transmission and Multiplexing Configuration Control）によって伝送される。ＴＭＣＣは、各シンボルの１ブロック毎に挿入される。また、ＯＦＤＭフレームには、伝送路の周波数応答を推定するためのＳＰ（スキャッタードパイロット）及びＣＰ（コンティニュアスパイロット）も挿入される。更に、ＯＦＤＭフレームには、ＡＣ１，２(Auxiliary  Control)も挿入されるようになっている。ＡＣ１，２は付加情報を伝送するためのシンボルであり、放送事業者が特別な情報を伝送するなどの場合に使用することが可能である。
【０００６】
近年、地上デジタル放送やワンセグ放送等の受信機の普及率が極めて高くなっている。このため、災害発生をいち早く知らせる緊急警報放送をこのデジタル放送によって放送することで、迅速的確な広報活動を期待することができる。
【０００７】
このような緊急警報放送を行うための技術として特許文献１に記載のものがある。この文献の技術では、放送局側は、デジタル放送のデータ放送に割当てられたセグメントに緊急警報放送用のデータを割り当てて送信するようになっている。
【０００８】
しかしながら、特許文献１の技術では、視聴者が番組のデータ放送を視聴している時に限り、災害発生後にテレビ番組の画面上に流れるテロップや番組内での報道番組への切替えによって緊急警報放送による情報を得ることができる。このため、デジタル放送受信機を視聴状態にしていない視聴者には、迅速に緊急警報放送の内容が伝達されず、災害対策としては十分ではないという問題があった。
【先行技術文献】
【特許文献】
【０００９】
【特許文献１】特開２００８−１４８２３０号公報
【発明の概要】
【発明が解決しようとする課題】
【００１０】
本発明は、緊急警報放送が開始されたことを短時間に検出することにより、緊急警報放送を迅速に視聴者に伝えることができる放送受信装置を提供することを目的とする。
【課題を解決するための手段】
【００１１】
本発明の一態様の放送受信装置は、受信されたデジタル放送を復調して復調出力を出力する復調部と、前記デジタル放送に多重されている緊急警報放送フレームに含まれる同期信号、起動制御信号及び緊急警報放送データのうち前記同期信号及び起動制御信号を前記復調出力から検出する検出部と、前記検出部が緊急警報放送が行われていることを示す起動制御信号を検出したことを示す起動フラグを保持する起動フラグ記憶部とを具備したことを特徴とする。
【発明の効果】
【００１２】
本発明によれば、緊急警報放送が開始されたことを短時間に検出することにより、緊急警報放送を迅速に視聴者に伝えることができるという効果を有する。
【図面の簡単な説明】
【００１３】
【図１】本発明の第１の実施の形態に係る放送受信装置を示すブロック図。
【図２】横軸にキャリア番号（周波数領域）をとり縦軸にシンボル番号（時間領域）をとって、ＯＦＤＭフレームの構成を示す説明図。
【図３】第１の実施の形態の動作を説明するためのフローチャート。
【図４】本発明の第２の実施の形態を示すブロック図。
【図５】本発明の第３の実施の形態を示すブロック図。
【図６】復調部１６からのＯＦＤＭフレームと復号部１７からの誤り訂正後のＯＦＤＭフレームのタイミングのずれを説明するための説明図。
【図７】図５中の多重回路４１の具体的な構成を示すブロック図。
【図８】図７の回路の動作を説明するためのタイミングチャート。
【発明を実施するための形態】
【００１４】
以下、図面を参照して本発明の実施の形態について詳細に説明する。
【００１５】
（第１の実施の形態）
図１は本発明の第１の実施の形態に係る放送受信装置を示すブロック図である。
【００１６】
ＩＳＤＢ−Ｔ方式においては、現在、緊急警報放送用データをＯＦＤＭフレーム内のＡＣ１に配置して伝送することが提案されている。本実施の形態においては、緊急警報放送用データがＡＣ１に配置されるものとして説明する。
【００１７】
図１において、アンテナ１１に誘起したデジタル放送信号はＯＦＤＭ受信部１０のチューナ１２に供給される。チューナ１２は、受信信号から所定のチャンネルの信号を選局してＡ／Ｄ変換器１３に出力する。Ａ／Ｄ変換器１３は、チューナ１２の出力をデジタル信号に変換して直交検波部１４に出力する。直交検波部１４はＡ／Ｄ変換器１３の出力を直交検波することによって、ベースバンドのＯＦＤＭ信号を得る。このＯＦＤＭ信号はＦＦＴ部１５に供給される。
【００１８】
ＦＦＴ部１５は、ベースバンドのＯＦＤＭ信号からガードインターバルを除去した後、ＦＦＴ（高速フーリエ変換）処理によって、時間領域のＯＦＤＭ信号を周波数領域の信号に変換する。これにより、ＯＦＤＭの各キャリアの位相と振幅を示すシンボルデータ列（ＯＦＤＭシンボル）が求められる。このＯＦＤＭシンボルが復調部１６に供給される。
【００１９】
復調部１６は、入力されたＯＦＤＭシンボルから元のデータを復元する。例えば、復調部１６は、入力されたＯＦＤＭシンボルから伝送モード信号を抽出してそのモード情報を判別し、その判別結果に応じて同期検波又は遅延検波を行って、元のデータを復元する。即ち、伝送モードが同期検波の場合には、ＯＦＤＭフレーム中のパイロット信号を用いて振幅及び位相等化を行って、階層情報及び等化された復元データを得る。また、伝送モードが遅延検波の場合には、前後のシンボルから各キャリアの誤差を検出して、振幅及び位相等化を行い、階層情報と等化されたデータを得る
復調部１６の出力は復号部１７に供給される。復号部１７は、送信側において施された内符号化び外符号を用いた誤り訂正処理並びにデ・インターリーブ処理を行って、ＯＦＤＭ信号によって伝送された信号を復元する。復号部１７からの出力は、ＭＰＥＧ（Moving Picture Experts Group）２のＴＳ出力等である。なお、内符号化処理及び外符号化処理としては、畳み込み符号化処理及びＲＳ符号化処理等が採用される。なお、一例としてこれらの符号化をとりあげたが、これに限定されるものではない。
【００２０】
復号部１７からのＴＳ出力は、ＯＦＤＭ受信部１０の外部のバックエンド処理部２５に与えられる。バックエンド処理部２５としては例えばＭＰＥＧデコーダ等が考えられ、バックエンド処理部２５は入力されたＴＳ出力をデコードして、放送されたコンテンツの映像及び音声信号を取り出して出力すことができるようになっている。
【００２１】
また、復調部１６の出力はＡＣ１抽出及びフレーム同期検出部１８にも供給される。ＡＣ１抽出及びフレーム同期検出部１８は、復調部１６の出力からＯＦＤＭフレーム毎に挿入されているＡＣ１を抽出する。
【００２２】
図２は横軸にキャリア番号（周波数領域）をとり縦軸にシンボル番号（時間領域）をとって、ＯＦＤＭフレームの構成を示す説明図である。図２はＡＲＩＢ規格のＳＴＤ−Ｂ３１「地上デジタルテレビジョン放送伝送方式」に記載されたものである。図２の例は、変調方式としてＱＡＭ変調を採用した場合の例である。図２に示すように、１フレーム中の１キャリアがＴＭＣＣの伝送に用いられている。なお、図中の斜線は、ＳＰ（スキャッタードパイロット）シンボルを示している。
【００２３】
また、下記表１は緊急警報放送フレームを構成するＯＦＤＭフレーム中の２０４ビットのＡＣ１（Ｂ０〜Ｂ２０４）の構成を示している。
【００２４】
［表１］
┌─────────┬─────┬──────────────────┐
│ビット番号        │ビット数  │              内容                  │
├─────────┼─────┼──────────────────┤
│Ｂ０              │        １│差動復調基準                        │
├─────────┼─────┼──────────────────┤
│Ｂ１〜Ｂ３        │        ３│構成識別信号                        │
├─────────┼─────┼──────────────────┤
│Ｂ４〜Ｂ１６      │      １３│同期信号（フレーム同期信号）        │
├─────────┼─────┼──────────────────┤
│Ｂ１７〜Ｂ１８    │        ２│緊急起動フラグ（起動制御信号）      │
├─────────┼─────┼──────────────────┤
│Ｂ１９〜Ｂ１２１  │    １０３│緊急情報（緊急警報放送データ）      │
├─────────┼─────┼──────────────────┤
│Ｂ１２２〜Ｂ２０３│      ８２│パリティビット（差動巡回誤り訂正用）│
└─────────┴─────┴──────────────────┘
ＡＣ１は１ＯＦＤＭフレームで完結しており、表１に示すように、データの最後に８２ビットの差動巡回誤り訂正用のパリティビット（Ｂ１２２〜Ｂ２０３）を備えている。また、表１に示すように、ＡＣ１データは、ＯＦＤＭシンボル番号の若い方から１ビット（Ｂ０）の差動復調基準信号、３ビットの構成識別信号（Ｂ１〜Ｂ３）、１３ビットの同期信号（フレーム同期信号）（Ｂ４〜Ｂ１６）、２ビットの緊急起動フラグ（起動制御信号）（Ｂ１７〜Ｂ１８）及び１０３ビットの緊急情報（緊急警報放送データ）（Ｂ１９〜Ｂ１２１）を含む。
【００２５】
ＡＣ１抽出及びフレーム同期検出部１８は、抽出したＡＣ１からフレーム同期信号を検出する。なお、ＡＣ１のＢ４〜Ｂ１６の１３ビットのフレーム同期信号パターンは、ｗ０=1010111101110／ｗ１=0101000010001である。即ち、ＡＣ１抽出及びフレーム同期検出部１８は、ＯＦＤＭフレーム中のＡＣ１の各ビットから、表１のＢ４〜Ｂ１６で規定されたパターンと同一のパターンを同期信号として検出する。ＡＣ１抽出及びフレーム同期検出部１８は抽出したＡＣ１データをＡＣ１バッファ１９に出力する。
【００２６】
ＡＣ１バッファ１９に１ＯＦＤＭフレーム分のＡＣ１データが蓄積されると、差動巡回符号誤り訂正回路２０は、表１のパリティビットを用いて、ＡＣ１により伝送されるデータの誤り訂正処理を行う。ＡＣ１内には、表１に示すように、緊急警報放送データが含まれており、差動巡回符号誤り訂正回路２０は誤り訂正後の緊急警報放送データをデータ読出用レジスタ２２に与えて記憶させる。
【００２７】
ステータスレジスタ２１は、ＡＣ１によって緊急警報放送データが伝送されたことの検出結果を示す起動フラグ及びＡＣ１のエラー判定結果を示すエラーフラグを記憶するようになっている。
【００２８】
本実施の形態においては、起動フラグはＡＣ１抽出及びフレーム同期検出部１８によって更新され、エラーフラグは差動巡回誤り訂正回路２０によって更新される。即ち、ＡＣ１抽出及びフレーム同期検出部１８は、ＡＣ１の全データを検出することなく、（Ｂ４〜Ｂ１６）の同期信号及び（Ｂ１７〜Ｂ１８）の２ビットの起動制御信号を検出した段階で、ステータスレジスタ２１の起動フラグを更新するための起動制御信号の検出結果を出力する。例えば、ステータスレジスタ２１の起動フラグは、起動制御信号が検出された場合には“１”となり、起動制御信号が検出されない場合には“０”のままである。
【００２９】
また、差動巡回誤り訂正回路２０は、ＡＣ１のデータに誤りが生じているか否かのエラー判定結果をステータスレジスタ２１に出力する。例えば、ステータスレジスタ２１のエラーフラグは、エラー判定結果によってＡＣ１のデータに誤りが生じていることが示された場合には“０”となり、誤りが生じていないことが示された場合には“１”となる。
【００３０】
通常、ＡＣ１のデータを利用するためには、１ＯＦＤＭフレーム分のＡＣ１の全データを抽出し、誤り訂正する必要がある。即ち、緊急警報放送を受信した後、最低でも１ＯＦＤＭフレームの受信時間は緊急警報放送が行われたことを検出することはできない。
【００３１】
これに対し、本実施の形態においては、ＡＣ１抽出及びフレーム同期検出部１８は、Ｂ０〜Ｂ１８までの１９ビットを取り込むことで誤り訂正処理が行われる前に緊急警報放送が行われたことを検出することができ、緊急警報放送開始後の極めて短時間で起動制御信号の検出結果を出力することができる。
【００３２】
ステータスレジスタ２１及びデータ読出用レジスタ２２は夫々データバス２３，２４を介してＯＦＤＭ受信部１０の外部に設けられた制御部２６に接続される。なお、制御部２６はマイクロコンピュータによって構成可能である。制御部２６は、ステータスレジスタ２１から起動フラグ及びエラーフラグを読出すと共に、データ読出用レジスタ２２から緊急警報放送データを読出すことができる。また、制御部２６は、起動フラグ及びエラーフラグに基づいて、バックエンド処理部２５等の電源制御が可能である。
【００３３】
例えば、図１の装置が組み込まれるテレビジョン受信機の主電源のオフによって復号部１７及びバックエンド処理部２５の電源供給が停止し、図１のその他の回路部分は主電源がオフの場合であっても副電源によって電源供給が行われているものとする。例えば、制御部２６は、主電源がオフの場合であっても、ステータスレジスタ２１の起動フラグが起動制御信号の検出を知らせる“１”になると、復号部１７及びバックエンド処理部２５に電源供給が行われるよう制御してこれらの回路部分を起動させることができるようになっている。
【００３４】
また、制御部２６は、ステータスレジスタ２１のエラーフラグがエラーが生じていないことを示す“１”の場合には、データ読出用レジスタ２２から緊急警報放送データを読出して、読出した緊急警報放送データに基づく処理を行うようになっている。
【００３５】
また、制御部２６は、ステータスレジスタ２１のエラーフラグがエラーが生じていることを示す“０”の場合には、起動フラグが“１”であっても、一旦動作を開始させた復号部１７及びバックエンド処理部２５の電源供給を停止させてこれらの回路部分の動作を停止させることができるようになっている。
【００３６】
次に、このように構成された実施の形態の動作について図３のフローチャートを参照して説明する。
【００３７】
図１の装置が組み込まれたテレビジョン受信機においては、主電源がオフの場合でも、図１の復号部１７及びバックエンド処理部２５を除く他の回路部分には副電源から電源電圧が供給されて常時動作するものとする。
【００３８】
いま、主電源がオフであるものとする。この場合においても、アンテナ１１によって受信したデジタル放送信号はチューナ１２に供給されて所定のチャンネルが受信される。チューナ１２の出力はＡ／Ｄ変換器１３においてデジタル信号に変換された後直交検波部１４に供給される。直交検波部１４において受信信号からベースバンドのＯＦＤＭ信号が取り出されてＦＦＴ部１５に供給される。
【００３９】
ＦＦＴ部１５は、ベースバンドのＯＦＤＭ信号からガードインターバルを除去し、ＦＦＴ（高速フーリエ変換）処理によって、時間領域のＯＦＤＭ信号を周波数領域のＯＦＤＭシンボルに変換する。このＯＦＤＭシンボルが復調部１６に供給される。復調部１６は、入力されたＯＦＤＭシンボルから元のデータを復元する。復調部１６からはＯＦＤＭフレームが復号部１７に供給される。復号部１７は、復調部１６の出力に対して誤り訂正処理及びデ・インターリーブ処理を施して得たＴＳ出力を出力する。
【００４０】
ここで、災害等の発生によって、放送局がＯＦＤＭフレーム中のＡＣ１に緊急警報放送データを挿入して送信するものとする。復調部１６からのＯＦＤＭフレームはＡＣ１抽出及びフレーム同期検出部１８にも供給されている。ＡＣ１抽出及びフレーム同期検出部１８は、ＯＦＤＭフレームからＡＣ１を抽出し、先ずフレーム同期信号パターンを検出し、更に、起動制御信号を検出する。ＡＣ１抽出及びフレーム同期検出部１８は、起動制御信号を検出した段階で、起動制御信号の検出結果をステータスレジスタ２１に出力する。これにより、ステータスレジスタ２１の起動フラグは“０”から“１”に書き換わる（ステップＳ１）。
【００４１】
制御部２６はデータバス２３を介して所定のタイミングでステータスレジスタ２１の内容を読み込んでいる（ステップＳ２）。制御部２６は、読込んだ起動フラグが“１”に更新されていることを検出すると（ステップＳ３）、復号部１７及びバックエンド処理部２５にも電源電圧が供給されるよう制御を行って、テレビジョン受信機を自動的に起動させる。これにより、緊急警報放送の開始から極めて短時間で、テレビジョン受信機が起動される（ステップＳ４）。
【００４２】
一方、ＡＣ１抽出及びフレーム同期検出部１８は、ＡＣ１の抽出を続け、１ＯＦＤＭフレーム分のＡＣ１のデータをＡＣ１バッファ１９に格納する。差動巡回誤り訂正回路２０は１ＯＦＤＭフレーム分のＡＣ１データがＡＣ１バッファ１９に格納されると、誤り訂正処理を行いエラー判定結果をステータスレジスタ２１に出力すると共にエラー訂正後の緊急警報放送データをデータ読出用レジスタ２２に出力する（ステップＳ５）。
【００４３】
制御部２６は、ステップＳ６において、ステータスレジスタ２１のエラーフラグを読み込む。エラーフラグによってエラーが示されている場合には（ステップＳ７）、制御部２６は、起動制御信号の検出結果にエラーがあったものと判定する。例えば、この場合には、制御部２６は、ステップＳ１０において復号部１７及びバックエンド処理部２５への電源供給を停止させてテレビジョン受信機の動作を停止させる。
【００４４】
制御部２６は、ステップＳ７において、エラーフラグによってエラーがないことが示されていると判定した場合には、ステップＳ８においてデータ読出用レジスタ２２から緊急警報放送データを読み込む。制御部２６は、読み込んだ緊急警報放送データに基づくユーザへの提示を行うよう、バックエンド処理部２５を制御する。
【００４５】
このように本実施の形態においては、ＡＣ１抽出及びフレーム同期検出部１８が、緊急警報放送の開始から極めて短時間で起動制御信号を検出する。具体的には、緊急警報放送が行われていることの判断には本来１ＯＦＤＭフレームの時間（２００ｍ秒）が必要であるのに対し、本実施の形態においては、ＡＣ１抽出及びフレーム同期検出部１８は、１９シンボル分を読出す約１８ｍ秒の時間で判断可能である。起動制御信号の検出に基づく起動フラグを制御部２６が読み込むことによって、主電源がオフの場合でも、テレビジョン受信機を自動的に起動させて、緊急警報放送を視聴者に提示することが可能である。これにより、主電源がオフであっても、緊急警報放送の開始から極めて短時間で受信機を起動させて、視聴者に対して緊急警報放送に基づく提示を行うことが可能である。
【００４６】
（第２の実施の形態）
図４は本発明の第２の実施の形態を示すブロック図である。図４において図１と同一の構成要素には同一符号を付して説明を省略する。
【００４７】
本実施の形態は一致検出部３１を付加したＯＦＤＭ受信部３０を採用した点が第１の実施の形態と異なる。一致検出部３１には差動巡回誤り訂正回路２０からの緊急警報放送データが与えられると共に、データ読出用レジスタ２２に記憶されている緊急警報放送データも与えられる。一致検出部３１は、差動巡回誤り訂正回路２０からの緊急警報放送データがデータ読出用レジスタ２２からの緊急警報放送データと完全に一致するか否か、即ち、緊急警報放送データが更新されたか否かを検出し、検出結果をステータスレジスタ２１に出力するようになっている。
【００４８】
ステータスレジスタ２１は第１の実施の形態と同様に起動フラグ及びエラーフラグを保持すると共に、一致検出部３１の検出結果に基づく更新フラグを保持するようになっている。制御部２６は更新フラグによって、差動巡回誤り訂正回路２０からの緊急警報放送データとデータ読出用レジスタ２２からの緊急警報放送データとの不一致、即ち、更新されたことが示された場合にのみ、データ読出用レジスタ２２に記憶されている緊急警報放送データを読出すようになっている。
【００４９】
このように構成された実施の形態においては、一致検出部３１は、緊急警報放送データが更新されたか否かを示す検出結果をステータスレジスタ２１に出力する。これにより、ステータスレジスタ２１は緊急警報放送データの更新の有無を示す更新フラグを保持する。
【００５０】
制御部２６は、所定のタイミングで、ステータスレジスタ２１にアクセスして、起動フラグ、エラーフラグ及び更新フラグを読み込む。制御部２６は、起動フラグによって起動制御信号が検出されたことが示され、エラーフラグによってエラーが生じていないことが示された場合には、データ読出用レジスタ２２に記憶されている緊急警報放送データを読み込む。
【００５１】
緊急警報放送は時々刻々と更新される可能性があり、制御部２６は定期的に緊急警報放送データを確認する必要がある。緊急警報放送データの最小更新時間は、１ＯＦＤＭフレーム期間であり、制御部２６は１ＯＦＤＭフレーム毎に緊急警報放送データを読出せばよい。
【００５２】
しかし、緊急警報放送データは毎ＯＦＤＭフレーム更新されるとは限らず、制御部２６は無駄に読込みを行う可能性がある。そこで、本実施の形態においては、制御部２６は、更新フラグによって緊急警報放送データが更新されたことが示された場合にのみ、緊急警報放送データの読込みを行う。
【００５３】
例えば、緊急警報放送データが１０ＯＦＤＭフレーム後に更新された場合には、制御部２６は前回の更新から１０ＯＦＤＭフレーム後に１回だけデータ読出用レジスタ２２から読出しを行う。即ち、制御部２６は、毎ＯＦＤＭフレーム読出しを行う場合の１／１０の回数だけ読出しを行えばよい。これにより、制御部２６による無駄な読出しを抑制することができる。
【００５４】
このように本実施の形態においては、第１の実施の形態と同様の効果が得られると共に、制御部２６が無駄に読出しを行うことを防止することができるという効果を有する。
【００５５】
（第３の実施の形態）
図５は本発明の第３の実施の形態を示すブロック図である。図５において図４と同一の構成要素には同一符号を付して説明を省略する。
【００５６】
本実施の形態は多重回路４１を付加したＯＦＤＭ受信部４０を採用した点が第２の実施の形態と異なる。多重回路４１には復号部１７からのＴＳ出力、ＡＣ１抽出及びフレーム同期検出部１８からの起動制御信号の検出結果及びデータ読出用レジスタ２２からの緊急警報放送データが入力される。多重回路４１は、起動制御信号が検出されたことが示されると、データ読出用レジスタ２２から緊急警報放送データを読出し、復号部１７からのＴＳ出力に緊急警報放送データを多重して出力するようになっている。
【００５７】
ＴＳ出力は２０４バイトのパケット単位で出力される。２０４バイトのうち先頭の１８８バイトがデータ部分であり、最後の１６バイトはパリティが配置されるパリティ期間である。例えば、多重回路４１は、ＴＳ出力のパリティ期間に緊急警報放送データを多重して出力するようになっている。
【００５８】
このように構成された実施の形態においては、緊急警報放送が開始されると、復号部１７からのＴＳ出力のパリティ期間に緊急警報放送データが多重されたＴＳ出力が出力される。
【００５９】
これにより、制御部２６において緊急警報放送データを読込む処理を行うことなく、バックエンド処理部２５において緊急警報放送データを取得することができる。
【００６０】
ところで、復調部１６の出力はＯＦＤＭフレームである。復調部１６からのＯＦＤＭフレームのデータは、インターリーブ処理されており、復号部１７は複数のＯＦＤＭフレームのデータに対してデ・インターリーブ処理を施して、ＴＳ出力を得ている。
【００６１】
図６はこのような復調部１６からのＯＦＤＭフレームと復号部１７からの誤り訂正後のＯＦＤＭフレームのタイミングのずれを説明するための説明図である。図６（ａ）に示す復調部１６の出力のＯＦＤＭフレームに対して、復号部１７の出力は、図６（ｂ），（ｃ）の出力Ａ，Ｂに示すように、施されているインターリーブの深さによって出力タイミングがずれる。これに対し、復調部１６の出力ＯＦＤＭフレームから緊急警報放送データを抽出していることから、緊急警報放送データは、図６（ｂ）の符号ａ，ｂに示すように、復調部１６の出力ＯＦＤＭフレームに同期して得られる。
【００６２】
即ち、緊急警報放送データが取得されるタイミングは、復号部１７からのＴＳ出力のタイミングに対して一定ではない。このため、図２（ｂ），（ｅ）に示すように、所定のＯＦＤＭフレームから取り出した緊急放送データａが２つの部分ａ１，ａ２に分離され、異なるＴＳ出力のパリティ期間に多重される可能性がある。この場合には、バックエンド処理部２５において、緊急警報放送データに基づく処理を正常に行うことができないことが考えられる。
【００６３】
図７は図５中の多重回路４１の具体的な構成を示すブロック図である。図７の回路は、図６の問題点を解決するものためのものである。また、図８は図７の回路の動作を説明するためのタイミングチャートである。
【００６４】
図７に示す多重回路４１においては、セレクタ５２にはデータ読出用レジスタ２２から緊急警報放送データが与えられ、セレクタ５２は、後述するパリティタイミング信号によって、ＴＳパケットのパリティ期間にセレクタ５１に緊急警報放送データを出力する。セレクタ５１には復号部１７からのＴＳデータ（入力ＴＳデータ）とセレクタ５２からの緊急警報放送データとが与えられ、セレクタ５１は起動制御信号の検出結果によって起動制御信号が検出されたことが示された場合には、ＴＳデータのパリティ期間に緊急警報放送データを挿入して、ＴＳ出力として出力するようになっている。
【００６５】
図８（ａ）〜（ｇ）はこの動作を示している。図８（ａ）は復号部１７からのＴＳデータを示している。上述したよう、ＴＳデータの１パケットは、２０４バイトで構成され、先頭の１８８バイトがデータ期間であり、最後の１６バイトがパリティ期間である。図８（ｂ）以降はパリティ期間の時間軸を拡大して示したものであり、パリティ期間を示すバリッド信号（図８（ｃ））によって、緊急警報放送データの挿入期間が規定されている。
【００６６】
図８（ｂ）の出力クロックは、ＴＳデータの１バイト周期のクロックである。この出力クロックに同期してバリティタイミング信号（図８（ｄ））が発生する。セレクタ５２は、このパリティタイミング信号によって緊急警報放送データを取り込んでセレクタ５１に出力する（図８（ｅ））。
【００６７】
セレクタ５１には図８（ｆ）に示す入力ＴＳデータが入力されており、セレクタ５１は、起動制御信号の検出結果によって、ＴＳデータのパリティ期間に緊急警報放送データを多重する。これにより、図８（ｇ）に示すように、パリティ期間に緊急警報放送データが多重されたＴＳ出力が得られる。
【００６８】
更に、図７の多重回路４１においては図６の問題点を解決するために、ＯＦＤＭフレームの変化点を検出する。即ち、図７において、フレームカウンタ５５には、復調部１６からのＯＦＤＭフレーム毎に発生するフレーム信号が入力される。フレームカウンタ５５はフレーム信号をカウントしてフレームカウント値をレジスタ５６，５７に出力する。一方、パケットカウンタ５４には、復号部１７からのＴＳパケット毎に発生するパケット信号が入力される。
【００６９】
パケットカウンタ５４はパケット信号をカウントしてデコーダ５３に出力する。デコーダ５３は、パケット期間の開始からのクロック数に基づいて、パリティ期間において出力クロックタイミングで発生するパリティタイミング信号を発生してセレクタ５２に出力する。更に、デコーダ５３は、パリティ期間の開始タイミングで立ち下がるパリティ開始信号（図８（ｈ））を発生してレジスタ５６に出力すると共に、パリティ期間の最後の出力クロックで立ち下がるパリティ終了信号（図８（ｉ））を発生してレジスタ５７に出力する。
【００７０】
レジスタ５６はパリティ開始信号のタイミングでフレームカウント値を取り込んで出力し、レジスタ５７はパリティ終了信号のタイミングでフレームカウント値を取り込んで出力する。即ち、パリティ期間の最初の出力クロックタイミングにおけるフレームカウント値と、パリティ期間の最後の出力クロックタイミングにおけるフレームカウント値とがレジスタ５６，５７から出力されることになる。一致検出部５８はレジスタ５６，５７からのフレームカウント値が一致しているか否かを検出し、不一致、即ち、２つのフレームカウント値が異なるＯＦＤＭフレームであることを示す場合には、不一致を示す変更フラグをパリティ期間の最後の出力クロックのタイミングでセレクタ５２に出力するようになっている。セレクタ５２は変更フラグが入力されると、パリティ期間の最後の出力クロックのタイミングには、緊急警報放送データに変えて変更フラグを出力する。
【００７１】
いま、復調部１６からの出力ＯＦＤＭフレームが、復号部１７からのＴＳデータのパリティ期間において切換るものとする。この場合には、図８（ｊ）に示すように、２つのＯＦＤＭフレームＡ，Ｂの切換りタイミングで、フレームカウンタ５５のフレームカウント値が変化する。
【００７２】
レジスタ５６はパリティ開始信号でフレームカウント値を取り込んで出力する。この場合には、レジスタ５６のフレームカウント値はＯＦＤＭフレームＡに対応する値である（図８（ｋ））。また、レジスタ５７はパリティ終了信号でフレームカウント値を取り込んで出力する。この場合には、レジスタ５７のフレームカウント値はＯＦＤＭフレームＢに対応する値である（図８（ｌ））。
【００７３】
一致検出部５８はレジスタ５６，５７の出力の一致，不一致を検出する。この場合には、不一致が発生しているので、一致検出部５８は、図８（ｍ）に示す変更フラグ（ＮＧ）を出力する。この変更フラグは、セレクタ５２を介してセレクタ５１に供給される。
【００７４】
こうして、この場合には、図８（ｎ）に示すように、セレクタ５１からは、パリティ期間の前半には緊急警報放送データが多重され、パリティ期間の最後には変更フラグが多重されたＴＳ出力が出力される。
【００７５】
このように本実施の形態においては、緊急警報放送データをＴＳ出力に正しく多重することができる。これにより、制御部によって緊急警報放送データを読込む必要がなく、制御部の処理を軽減することが可能である。
【符号の説明】
【００７６】
１０…ＯＦＤＭ受信部、１６…復調部、１７…復号部、１８…ＡＣ１抽出及びフレーム同期検出部１８、２０…差動巡回誤り訂正回路、２１…ステータスレジスタ、２２…データ読出用レジスタ、２５…パックエンド処理部、２６…制御部。
【図１】
2010268226.tif 000003
【図２】
2010268226.tif 000004
【図３】
2010268226.tif 000005
【図４】
2010268226.tif 000006
【図５】
2010268226.tif 000007
【図６】
2010268226.tif 000008
【図７】
2010268226.tif 000009
【図８】
2010268226.tif 000010